(57)【要約】【課題】  異常原因の特定が容易で、かつ異常履歴情報を格納するメモリ容量を削減できる電力変換装置の異常履歴管理装置を得る。【解決手段】  本発明の電力変換装置の異常履歴管理装置は、電源の電圧、周波数を任意に変化させる電力変換部と、前記電力変換部装置の異常状態を検出する異常検出手段と、少なくとも異常状態発生時刻と異常内容を格納する異常内容格納手段とを備え、異常検出時間があらかじめ設定された時間以上経過するか、または前記異常内容が変化した場合のみ格納許可を出し、前記異常内容格納手段に異常情報を格納するものである。【選択図】    図１
2007166684.tif 000002
【特許請求の範囲】
【請求項１】
電源の電圧、周波数を任意に変化させる電力変換部と、前記電力変換部装置の異常状態を検出する異常検出手段と、少なくとも異常状態発生時刻と異常内容を格納する異常内容格納手段とを備えた電力変換装置の異常履歴管理方法において、
異常検出時間があらかじめ設定された時間以上経過するか、または前記異常内容が変化した場合のみ格納許可を出し、前記異常内容格納手段に異常情報を格納することを特徴とする電力変換装置の異常履歴管理方法。
【請求項２】
電源の電圧、周波数を任意に変化させる電力変換部と、前記電力変換部装置の異常状態を検出する異常検出手段と、少なくとも異常状態発生時刻と異常内容を格納する異常内容格納手段とを備えた電力変換装置の異常履歴管理装置において、
前記異常検出手段の後段に履歴更新判断手段を設けたもので、前記履歴更新判断手段にて格納可能と判断された場合のみ、前記異常内容格納手段に異常情報を格納することを特徴とする電力変換装置の異常履歴管理装置。
【請求項３】
前記履歴更新判断手段は、前記異常検出時間があらかじめ設定された時間以上経過すると格納許可を出す時間履歴更新判断手段を設けたことを特徴とする請求項２記載の電力変換装置の異常履歴管理装置。
【請求項４】
前記履歴更新判断手段は、前記異常内容が変化した場合のみ格納許可を出す異常内容履歴更新判断手段を設けたことを特徴とする請求項２記載の電力変換装置の異常履歴管理装置。
【発明の詳細な説明】
【技術分野】
【０００１】
本発明は、PWMインバータなどの電力変換装置が異常状態となった場合の異常履歴を管理する方法とその装置に関する。
【背景技術】
【０００２】
従来、インバータが動作中に、何らかの異常を検出して運転を継続できない状況が発生した場合、異常要因を不揮発メモリ等に格納し、異常要因を特定するために利用する方法が広く用いられている。異常発生時のインバータ内部の異なる情報を数多く格納できれば、異常要因を特定する場合の情報量が多くなる為、原因特定までの時間が短縮でき有効である。
図４は、電力変換部装置をインバータとした場合のシステム構成図である。図において、１は三相交流電源、２は整流回路部、３は電解コンデンサ、４は電力変換部（出力側スイッチ群）、５は負荷モータ、６は外部運転指令（オペレータ）、９は演算部、１０は異常内容格納手段（不揮発メモリ）、１１は時計機能である。
三相交流電源１は整流回路部（入力側ダイオードブリッジ）２で整流され、電解コンデンサ３に充電され直流電圧となる。電力変換部（出力側スイッチ群）４は、半導体スイッチSpu〜Snw、フライホイールダイオードDpu〜Dnwから構成され、PWM（パスル幅変調）制御により、任意の電圧と周波数が得られる。これを負荷モータ５に印加すると、負荷モータ５は可変速運転が可能となる。
外部運転指令６は、制御部７に負荷モータ５の運転条件を指令する。制御部７では、外部運転指令６とのインターフェースとして入出力制御部８を有し、受け取った指令は演算部（CPU）９に伝えられ、電力変換部（出力側スイッチ群）４の動作条件が演算され、インバータ制御インターフェース信号を介して、電力変換部４に伝えられる。電力変換部４では、インバータ制御インターフェース信号を介してインバータの異常状態を検出した場合、時計機能１１から得られる時刻情報とあわせて異常内容を異常内容格納手段（不揮発メモリ）１０に格納する。また、異常内容を外部に知らせるために、入出力制御部８から外部運転指令６に異常内容を表示する。異常内容格納手段１０の、異常内容の格納方法について図５を用いて説明する。図５は、図４の複数の異常テーブルを有す模式図であるが、異常テーブルＮｏ．１には、異常発生時日時Date01とインバータ内部情報である定数番号C0,,,CnとそのデータD0,,,Dnが一つのテーブルとして格納される。
異常が発生した場合の更新方法を図６に示す。図６は従来の異常発生時の異常内容格納手段１０の更新方法を示すフローチャートである。異常が発生すると、異常履歴テーブル更新を行い、最新の異常内容を外部運転指令（オペレータ）６に表示する。
インバータを設置した現場では、異常が発生したインバータは、すぐに運転開始を要求される場合が多く、異常要因が特定できていない場合、何度も電源の入り切りと運転再開を試みる状況が発生する。１回目の異常原因が電流限度値を超えたため、保護用の主回路ヒューズが溶断した場合を例に取ると、最初の異常が発生した時の異常内容としては、電流限度値を超えた情報が格納される（図５のテーブルNo.1に格納される）。次回の電源投入時には、主回路ヒューズが溶断したため主回路電圧が低下し電源電圧不足の異常情報が格納される（図５の異常テーブル１の内容は異常テーブル２に退避され、異常テーブル１には新たに発生した電源電圧不足の異常内容が格納される）。この後何度も電源の入り切りを行うと異常内容格納手段（不揮発メモリ）１０には電源電圧不足の異常情報しか残らない。
また、複数回の異常が発生した場合、異常が発生した回数に応じたインバータ内部情報格納方法も提案されている（例えば、特許文献１参照）。
【特許文献１】特許第２７５７６９１号公報
【発明の開示】
【発明が解決しようとする課題】
【０００３】
ところが、従来の方法では、異常が発生した回数とその時格納する内部情報の個数に応じて、格納メモリ容量を確保する必要があり、格納回数と格納情報個数を掛け合わせたメモリ容量が必要となる。また、実際にはメモリ容量は有限であるため、過去数回に渡っての異常情報を格納することが一般的である。一方現場では異常が発生したインバータは、すぐに運転開始を要求される場合が多く、異常要因が特定できていない場合、何度も電源の入り切りと運転再開を試みる状況が発生する。１回目の異常原因が電流限度値を超えたため、保護用の主回路ヒューズが溶断した場合を例に取ると、最初の異常が発生した時の異常内容としては、電流限度値を超えた情報が格納される。次回の電源投入時には、主回路ヒューズが溶断したため主回路電圧が低下し電源電圧不足の異常情報が格納される。この後何度も電源の入り切りを行うと異常格納メモリには電源電圧不足の異常情報しか残らない。こうした状況の場合、いくら異常履歴として内部情報を数多く格納しても、最も重要な正常運転時から初めて発生した異常時の内部情報が残らなければ、異常原因特定は困難となる。
そこで、本発明はこのような問題点に鑑みてなされたものであり、異常原因の特定が容易で、異常履歴情報を格納するメモリ容量を削減することができる電力変換装置の異常履歴管理方法及び装置を提供することを目的とする。
【課題を解決するための手段】
【０００４】
上記問題を解決するため、本発明は、次のように構成したものである。
請求項１記載の発明は、電源の電圧、周波数を任意に変化させる電力変換部と、前記電力変換部装置の異常状態を検出する異常検出手段と、少なくとも異常状態発生時刻と異常内容を格納する異常内容格納手段とを備えた電力変換装置の異常履歴管理方法において、  異常検出時間があらかじめ設定された時間以上経過するか、または前記異常内容が変化した場合のみ格納許可を出し、前記異常内容格納手段に異常情報を格納するものである。
請求項２記載の発明は、電源の電圧、周波数を任意に変化させる電力変換部と、前記電力変換部装置の異常状態を検出する異常検出手段と、少なくとも異常状態発生時刻と異常内容を格納する異常内容格納手段とを備えた電力変換装置の異常履歴管理装置において、  前記異常検出手段の後段に履歴更新判断手段を設けたもので、前記履歴更新判断手段にて格納可能と判断された場合のみ、前記異常内容格納手段に異常情報を格納するものである。
請求項３記載の発明は、前記履歴更新判断手段に前記異常検出時間があらかじめ設定された時間以上経過すると格納許可を出す時間履歴更新判断手段を設けたものである。
請求項４記載の発明は、前記履歴更新判断手段に前記異常内容が変化した場合のみ格納許可を出す異常内容履歴更新判断手段を設けたものである。
【発明の効果】
【０００５】
本発明によれば、異常発生時のインバータ内部情報について、異常要因の特定に有効な内部情報を残すことが可能となる。また、異常履歴格納数をそれほど多く確保する必要がなくなり、異常原因の特定が容易となり、格納用のメモリ容量 を削減できる。
【発明を実施するための最良の形態】
【０００６】
以下、本発明の実施の形態について図を参照して説明する。
【実施例１】
【０００７】
本発明が対象とする電力変換装置をインバータとした場合のシステム構成は、従来と同じ図であるため、説明を省略する。また、同一の機能には同じ符号を付し、前出のものは説明を省略する。図１は、本発明の実施例１を示す異常履歴管理装置のブロック図である。図において、９１は異常検出手段、９２は履歴更新判断手段、９２１は時間履歴更新判断手段である。
図２は、本発明の異常発生時の異常内容格納手段（不揮発メモリ）１０の更新方法を示すフローチャートである。
従来との相違点は、異常が発生した場合、異常更新判断部で異常履歴テーブルを更新可能かどうか判断する。異常更新判断部の更新判断条件としては、異常発生時間間隔であるかどうかを判断している。
本発明では、異常発生時間間隔でしか異常テーブルが更新されないため、正常な状態から初めて発生した異常内容格納手段（不揮発メモリ）１０に格納される。
本発明によれば、異常発生時のインバータ内部情報について、異常要因の特定に有効な内部情報を残すことが可能となるので、異常原因の特定が容易になり、かつ異常履歴情報を格納するメモリ容量を削減できる。
【実施例２】
【０００８】
図３は、本発明の実施例２を示す異常履歴管理装置のブロック図である。図において、９２２は異常内容履歴更新判断手段である。
本発明では、異常内容の変化があった場合のみしか異常テーブルが更新されないため、正常な状態から初めて発生した異常内容格納手段（不揮発メモリ）１０に格納される。したがって、実施例１と同様に異常原因の特定が容易になり、かつ異常履歴情報を格納するメモリ容量を削減できる。
【図面の簡単な説明】
【０００９】
【図１】本発明の実施例１を示す異常履歴管理装置のブロック図
【図２】実施例１における異常発生時の更新方法を示すフローチャート
【図３】本発明の実施例２を示す異常履歴管理装置のブロック図
【図４】電力変換装置をインバータとした場合のシステム構成図
【図５】図４の異常テーブルを有す模式図
【図６】従来の異常発生時の更新方法を示すフローチャート
【符号の説明】
【００１０】
１  三相交流電源
２  整流回路部（入力側ダイオードブリッジ）
３  電解コンデンサ
４  電力変換部（出力側スイッチ群）
５  負荷モータ
６  外部運転指令（オペレータ）
７  制御部
８  入出力制御部
９  演算部
９１  異常検出手段
９２  履歴更新判断手段
９２１  時間履歴更新判断手段
９２２  異常内容履歴更新判断手段
１０  異常内容格納手段（不揮発メモリ）
１１  時計機能
Spu〜Snw  半導体スイッチ
Dpu〜Dnw  フライホイールダイオード
【図１】
2007166684.tif 000003
【図２】
2007166684.tif 000004
【図３】
2007166684.tif 000005
【図４】
2007166684.tif 000006
【図５】
2007166684.tif 000007
【図６】
2007166684.tif 000008